(57)【要約】【課題】  巻印針の回転中心を時計のムーブメント内で任意適当な位置に配置できるように構成したぜんまい巻き状態表示装置付き時計を提供する。【解決手段】  ムーブメント１００は、香箱車１２０と、香箱歯車１２０ｄと連動され、香箱歯車１２０ｄの回転を減速させるための遊星ユニット１５０と、遊星ユニット１５０の出力に基づいて回転可能な巻印車１９０とを備える。巻印伝えレバー２８０は、巻印車１９０の回転に基づいて作動する。巻印表示車２７０は、巻印伝えレバー２８０の作動に基づいて回転する。巻印表示車２７０に取付けられた巻印針１９６は、ぜんまいの巻き状態を表示する。【選択図】      図１
2005214656.tif 000002
【特許請求の範囲】
【請求項１】
機械式時計の動力源を構成するぜんまいの巻き状態を表示する機能を備えたぜんまい巻き状態表示装置付き時計において、
ぜんまい（１２０ｂ）および香箱歯車（１２０ｄ）を有し、該香箱歯車（１２０ｄ）が前記ぜんまい（１２０ｂ）の巻き戻しにより１つの方向にのみ回転可能なように構成されている香箱車（１２０）と、
前記香箱歯車（１２０ｄ）と連動され、前記香箱歯車（１２０ｄ）の回転を減速させるための減速機構（１５０）と、
前記減速機構（１５０）の出力に基づいて回転可能な巻印車（１９０）と、
前記巻印車（１９０）の回転に基づいて作動する巻印伝えレバー（２８０）と、
前記巻印伝えレバー（２８０）の作動に基づいて回転可能な巻印表示車（２７０）と、
前記巻印表示車（２７０）の回転に基づいて、ぜんまい（１２０ｂ）の巻き状態を表示するためのぜんまい巻き状態表示部材（１９６）と、
を備えることを特徴とする、ぜんまい巻き状態表示装置付き時計。
【請求項２】
減速機構（１５０）は遊星ユニットで構成されることを特徴とする、請求項１に記載のぜんまい巻き状態表示装置付き時計。
【請求項３】
前記巻印車（１９０）、前記巻印表示車（２７０）、前記巻印伝えレバー（２８０）は、それぞれ、四節回転連鎖機構の要素を構成することを特徴とする、請求項１に記載のぜんまい巻き状態表示装置付き時計。
【請求項４】
ぜんまい巻き状態表示装置付き時計は、地板（１０２）と、巻真（１１８）と、筒車（２３２）とを備え、
地板（１０２）に、筒車（２３２）の回転中心（２００）を通り、巻真（１１８）の中心軸線とほぼ平行な地板基準垂直軸線（２０５）と、筒車（２３２）の回転中心（２００）を通り地板基準垂直軸線（２０５）と垂直な地板基準水平軸線（２０６）を定義し、
地板（１０２）に、地板基準垂直軸線（２０５）の一方の側に位置しかつ地板基準水平軸線（２０６）より巻真（１１８）に近い方の側に位置する第１領域（２０１）と、地板基準垂直軸線（２０５）の他方の側に位置しかつ地板基準水平軸線（２０６）より巻真（１１８）に近い方の側に位置する第２領域（２０２）と、地板基準垂直軸線（２０５）の上記第２領域（２０２）のある上記他方の側に位置しかつ地板基準水平軸線（２０６）より巻真（１１８）から遠い方の側に位置する第３領域（２０３）と、地板基準垂直軸線（２０５）の上記第１領域（２０１）のある上記一方の側に位置しかつ地板基準水平軸線（２０６）より巻真（１１８）から遠い方の側に位置する第４領域（２０４）とを定義したとき、
前記香箱車（１２０）の回転中心は第２領域（２０２）に配置され、
前記減速機構（１５０）の回転中心は第３領域（２０３）に配置され、
前記巻印車（１９０）の回転中心は第３領域（２０３）に配置され、
前記巻印表示車（２７０）の回転中心は第１領域（２０１）に配置される、
ことを特徴とする、請求項１に記載のぜんまい巻き状態表示装置付き時計。
【請求項５】
前記巻印表示車（２７０）の回転中心は第４領域（２０４）に配置されることを特徴とする、請求項４に記載のぜんまい巻き状態表示装置付き時計。
【請求項６】
前記巻印車（１９０）の回転中心と、前記減速機構（１５０）の回転中心は同じ位置に配置されることを特徴とする、請求項１に記載のぜんまい巻き状態表示装置付き時計。
【請求項７】
機械式時計の動力源を構成するぜんまいの巻き状態を表示する機能を備えたぜんまい巻き状態表示装置付き時計において、
ぜんまい（１２０ｂ）および香箱歯車（１２０ｄ）を有し、該香箱歯車（１２０ｄ）が前記ぜんまい（１２０ｂ）の巻き戻しにより１つの方向にのみ回転可能なように構成されている香箱車（１２０）と、
前記香箱歯車（１２０ｄ）と連動され、前記香箱歯車（１２０ｄ）の回転を減速させるための減速機構（１５０）と、
前記減速機構（１５０）の出力に基づいて回転可能な、１つ以上の巻印伝え車（５９１〜５９５）と、
前記巻印伝え車（５９１〜５９５）の回転に基づいて回転可能な巻印表示車（５７０）と、
前記巻印伝え車（５９１〜５９５）および前記巻印伝え車（５９１〜５９５）を含む輪列のバックラッシュの影響を削減するために、前記巻印表示車（５７０）に対して設けられた巻印ばね（５８８）と、
前記巻印表示車（５７０）の回転に基づいて、ぜんまい（１２０ｂ）の巻き状態を表示するためのぜんまい巻き状態表示部材（１９６）と、
を備えることを特徴とする、ぜんまい巻き状態表示装置付き時計。
【請求項８】
機械式時計の動力源を構成するぜんまいの巻き状態を表示する機能を備えたぜんまい巻き状態表示装置付き時計において、
ぜんまい（１２０ｂ）および香箱歯車（１２０ｄ）を有し、該香箱歯車（１２０ｄ）が前記ぜんまい（１２０ｂ）の巻き戻しにより１つの方向にのみ回転可能なように構成されている香箱車（１２０）と、
前記香箱歯車（１２０ｄ）と連動され、前記香箱歯車（１２０ｄ）の回転を減速させるための減速機構（１５０）と、
前記減速機構（１５０）の出力に基づいて回転可能な巻印車（１９０）と、
前記巻印車（１９０）の回転を伝達させるための伝え部材（２８０、５９１〜５９５）と、
前記伝え部材（２８０、５９１〜５９５）の作動に基づいて回転可能な巻印表示車（２７０、５７０）と、
前記巻印表示車（２７０、５７０）を回転可能なように支持する、複数の巻印表示車支持部と、
前記巻印表示車（２７０）の回転に基づいて、ぜんまい（１２０ｂ）の巻き状態を表示するためのぜんまい巻き状態表示部材（１９６）とを備え、
前記巻印表示車（２７０、５７０）は、前記複数の巻印表示車支持部のうちの１箇所に支持されており、
前記伝え部材（２８０、５９１〜５９５）は、前記巻印車（１９０）の回転を、前記複数の巻印表示車支持部のうちの１箇所に支持された前記巻印表示車（２７０、５７０）に伝達させるように構成される、
ことを特徴とする、ぜんまい巻き状態表示装置付き時計。
【発明の詳細な説明】
【技術分野】
【０００１】
本発明は、機械式時計の動力源を構成するぜんまいの巻き状態を表示する機能を備えたぜんまい巻き状態表示装置付き時計に関する。特に、本発明は、時計のムーブメント内で任意適当な位置にぜんまい巻き状態表示部材（パワーリザーブ指針）を配置できるように構成したぜんまい巻き状態表示装置付き時計に関する。
【背景技術】
【０００２】
（１）従来の第１タイプのぜんまい巻き状態表示装置付き時計
従来の第１タイプのぜんまい巻き状態表示装置付き時計は、ぜんまいが作動することができる残りの時間、すなわち、時計の持続時間の表示を行う機構（パワーリザーブ機構）を備えている。このようなパワーリザーブ機構は、時計の持続時間の表示を行う針を扇状に往復させるために遊星歯車機構を用いている。この従来の第１タイプのぜんまい巻き状態表示装置付き時計は、角穴車と、香箱車と噛み合う遊星中間歯車と、遊星中間歯車の偏心部に回転可能に取付けられた遊星車と、遊星かなと噛み合う太陽車と、遊星歯車と噛み合う第二太陽車から構成される遊星歯車機構と、太陽かなと噛み合う表示伝え車と、表示伝えかなと噛み合う表示車と、表示度決めピンと、角穴車と第二太陽歯車と噛み合う遊星伝え車とで構成されている（例えば、特許文献１参照）。
【０００３】
（２）従来の第２タイプのぜんまい巻き状態表示装置付き時計
従来の第２タイプのぜんまい巻き状態表示装置付き時計は、香箱歯車の回転により回転可能なように設けられた遊星中間歯車と、遊星中間歯車の回転中心と異なる箇所を回転中心として、遊星中間歯車に回転可能に設けられ、一体となって回転可能な第１遊星車及び第２遊星車を有する遊星車と、遊星中間歯車の回転中心を回転中心として回転可能に設けられ、第２遊星車と噛み合っている第１太陽歯車を有する第１太陽車と、第１太陽車の回転中心を回転中心として回転可能に設けられ、角穴伝え車と噛み合っている第２太陽歯車と、第１遊星車と噛み合っている第２太陽かなとを有する第２太陽車と、第１太陽車に取付けられ、１つ以上の送りつめを有するつめ車と、送りつめにより、間欠的に回転可能に設けられた巻印中間車と、巻印中間車の回転方向の位置を規正するための巻印ジャンパと、巻印中間車の回転に基づいてぜんまい巻き状態を表示するためのぜんまい巻き状態表示部材（パワーリザーブ指針）とを備えている（例えば、特許文献２参照）。
【０００４】
【特許文献１】特開平９−２１８８６号公報（第３〜４頁、図１参照）
【特許文献２】特開平１１−１８３６４２号公報（第４〜５頁、図１〜図４参照）
【発明の開示】
【発明が解決しようとする課題】
【０００５】
従来のぜんまい巻き状態表示装置付き時計では、ぜんまい巻き状態表示部材（すなわち、巻印針：パワーリザーブ指針）の回転中心が香箱歯車の回転中心の近傍に配置されていた。したがって、ぜんまい巻き状態表示装置付き時計において、複数の指針（時針、分針、秒針、巻印針など）の配置に関して、デザイン上の制約があった。また、従来のぜんまい巻き状態表示装置付き時計において、ぜんまい巻き状態表示部材の回転中心を香箱歯車の回転中心から離れた位置に配置する場合、香箱歯車から歯車列を介してぜんまい巻き状態表示部材に回転を伝達しなければならなかった。このような構造では、複数の歯車間の噛合いのバックラッシュが存在し、巻印針（パワーリザーブ指針）の作動が遅れるという課題が生じていた。
【０００６】
本発明の目的は、ぜんまい巻き状態表示装置付き時計において、香箱歯車の回転中心の位置にかかわらず、巻印針（パワーリザーブ指針）の回転中心を時計のムーブメント内で任意適当な位置に配置できるように構成することにある。
本発明の他の目的は、ぜんまい巻き状態表示装置付き時計において、巻印針（パワーリザーブ指針）に回転を伝達する歯車間の噛合いのバックラッシュの影響を減らして、巻印針（パワーリザーブ指針）の作動が遅れるのを防止することにある。
本発明の更に他の目的は、デザイン上の制約が非常に小さい、小型で薄型のぜんまい巻き状態表示装置付き時計を提供することにある。
【課題を解決するための手段】
【０００７】
本発明は、機械式時計の動力源を構成するぜんまいの巻き状態を表示する機能を備えたぜんまい巻き状態表示装置付き時計において、ぜんまいおよび香箱歯車を有し、香箱歯車がぜんまいの巻き戻しにより１つの方向にのみ回転可能なように構成されている香箱車と、香箱歯車と連動され、香箱歯車の回転を減速させるための減速機構と、減速機構の出力に基づいて回転可能な巻印車と、巻印車の回転に基づいて作動する巻印伝えレバーと、巻印伝えレバーの作動に基づいて回転可能な巻印表示車と、巻印表示車の回転に基づいて、ぜんまいの巻き状態を表示するためのぜんまい巻き状態表示部材とを備えるように構成した。この構成により、ぜんまい巻き状態表示部材の回転中心（すなわち、巻印針の回転中心）が、香箱歯車の回転中心の位置と関連することなしに、時計のムーブメント内で任意適当な位置に配置することができるできる。また、この構成により、巻印針に回転を伝達する歯車間の噛合いのバックラッシュの影響を削減することができ、巻印針の作動が遅れるのを防止することができる。
【０００８】
本発明のぜんまい巻き状態表示装置付き時計では、減速機構は遊星ユニットで構成されるのが好ましい。また、本発明のぜんまい巻き状態表示装置付き時計では、巻印車、巻印表示車、巻印伝えレバーは、それぞれ、四節回転連鎖機構の要素を構成するのが好ましい。さらに、本発明のぜんまい巻き状態表示装置付き時計は、地板と、巻真と、筒車とを備える。そして、地板に、筒車の回転中心を通り、巻真の中心軸線とほぼ平行な地板基準垂直軸線と、筒車の回転中心を通り地板基準垂直軸線と垂直な地板基準水平軸線を定義し、地板に、地板基準垂直軸線の一方の側に位置しかつ地板基準水平軸線より巻真に近い方の側に位置する第１領域と、地板基準垂直軸線の他方の側に位置しかつ地板基準水平軸線より巻真に近い方の側に位置する第２領域と、地板基準垂直軸線の上記第２領域のある上記他方の側に位置しかつ地板基準水平軸線より巻真から遠い方の側に位置する第３領域と、地板基準垂直軸線の上記第１領域のある上記一方の側に位置しかつ地板基準水平軸線より巻真から遠い方の側に位置する第４領域とを定義する。このとき、香箱車の回転中心は第２領域に配置され、減速機構の回転中心は第３領域に配置され、巻印車の回転中心は第３領域に配置され、巻印表示車の回転中心は第１領域に配置されるるのが好ましい。また、本発明のぜんまい巻き状態表示装置付き時計では、巻印表示車の回転中心は第４領域に配置されるるのが好ましい。さらに、本発明のぜんまい巻き状態表示装置付き時計では、巻印車の回転中心と、減速機構の回転中心は同じ位置に配置されるのが好ましい。この構成により、小型で薄型のぜんまい巻き状態表示装置付き時計を実現することができる。
【０００９】
さらに、本発明は、ぜんまい巻き状態表示装置付き時計において、香箱車と、減速機構と、減速機構の出力に基づいて回転可能な、１つ以上の巻印伝え車と、巻印伝え車の回転に基づいて回転可能な巻印表示車と、巻印伝え車から巻印伝え車までの輪列のバックラッシュの影響を削減するために、巻印表示車に対して設けられた巻印ばねと、巻印表示車の回転に基づいて、ぜんまいの巻き状態を表示するためのぜんまい巻き状態表示部材とを備えるように構成することもできる。この構成により、ぜんまい巻き状態表示装置付き時計において、巻印針に回転を伝達する歯車間の噛合いのバックラッシュの影響を削減することができ、巻印針の作動が遅れるのを防止することができる。
さらに、本発明は、ぜんまい巻き状態表示装置付き時計において、香箱車と、減速機構と、減速機構の出力に基づいて回転可能な巻印車と、巻印車の回転を伝達させるための伝え部材と、伝え部材の作動に基づいて回転可能な巻印表示車と、巻印表示車を回転可能なように支持する、複数の巻印表示車支持部と、巻印表示車の回転に基づいて、ぜんまいの巻き状態を表示するためのぜんまい巻き状態表示部材とを備え、巻印表示車は、複数の巻印表示車支持部のうちの１箇所に支持されており、伝え部材は、巻印車の回転を、前記複数の巻印表示車支持部のうちの１箇所に支持された巻印表示車に伝達させるように構成されることを特徴とする。この構成により、ぜんまい巻き状態表示装置付き時計において、香箱歯車の回転中心の位置にかかわらず、巻印針の回転中心を時計のムーブメント内で任意適当な位置に配置できる。そして、複数の巻印表示車支持部がムーブメントに設けられているので、巻印針の回転中心の位置を変えるために複数のムーブメントを用意する必要がない。
【発明の効果】
【００１０】
本発明のぜんまい巻き状態表示装置付き時計では、ぜんまい巻き状態表示部材の回転中心（すなわち、巻印針の回転中心）が、香箱歯車の回転中心の位置と関連することなしに、時計のムーブメント内で任意適当な位置に配置することができる。また、本発明のぜんまい巻き状態表示装置付き時計では、巻印針に回転を伝達する歯車間の噛合いのバックラッシュの影響を削減することができ、巻印針の作動が遅れるのを防止することができる。さらに、本発明のぜんまい巻き状態表示装置付き時計は、小型で薄型であり、加えて、デザイン上の制約が非常に小さい。
【発明を実施するための最良の形態】
【００１１】
以下に、本発明のぜんまい巻き状態表示装置付き時計の実施の形態を図面に基づいて説明する。
（１）第１の実施の形態
（１・１）ムーブメントの全体構成
図１、図５、図６及び図９を参照すると、本発明のぜんまい巻き状態表示装置付き時計はムーブメント１００を備える。「ムーブメント」とは、駆動部分を含む時計の機械体を示す。また、「コンプリート」とは、時計のムーブメントに文字板、指針（時針、分針、秒針など）、りゅうずなどを取り付けて時計ケース（時計外装）に収容した時計の完成体を示す。ムーブメント１００は、地板１０２、第二地板１１２を含む。ムーブメント１００において、「表側」とは、地板１０２の両面のうちで、時計ケースのガラスから遠い方の側、すなわち、「裏蓋側」を示す。ムーブメント１００において、「裏側」とは、地板１０２の両面のうちで、時計ケースのガラスに近い方の側、すなわち、「文字板側」を示す。ムーブメント１００は、さらに、一番受１０４と、二番受１０５と、アンクル受１０６と、てんぷ受１０７と、伝え受１０８と、第二輪列受１１４とを備える。第二地板１１２は地板１０２の裏側に配置される。文字板１１０が第二地板１１２のガラス側に配置される。巻真１１８が地板１０２に回転可能で、軸線方向に移動可能なように組み込まれる。
【００１２】
ムーブメント１００の表側には、表輪列と、脱進機構と、調速機構と、自動巻機構と、ぜんまい巻き状態表示機構を作動させる遊星機構とが配置される。必要ならば、ムーブメント１００の表側に手巻機構を配置してもよい。或いは、ムーブメント１００の表側に手巻機構を配置し、自動巻機構を省略してもよい。ムーブメント１００の裏側には、裏輪列と、日表示機構と、曜表示機構と、日曜修正機構（図示せず）と、遊星機構により作動するぜんまい巻き状態表示機構と、切換装置（図示せず）が配置される。表輪列は地板１０２、一番受１０４、二番受１０５に対して回転可能に支持される。裏輪列は地板１０２、第二地板１１２、第二輪列受１１４に対して回転可能に支持される。或いは、切換装置はムーブメント１００の表側に配置してもよい。或いは、日表示機構および日修正機構を省略してもよい。或いは、曜表示機構および曜修正機構を省略してもよい。
【００１３】
図１及び図５において、地板１０２に、筒車２３２の回転中心２００を通り、巻真１１８の中心軸線とほぼ平行な地板基準垂直軸線２０５と、筒車２３２の回転中心２００を通り地板基準垂直軸線２０５と垂直な地板基準水平軸線２０６を定義する。地板１０２には、地板基準垂直軸線２０５の一方の側に位置しかつ地板基準水平軸線２０６より巻真１１８に近い方の側に位置する第１領域２０１と、地板基準垂直軸線２０５の他方の側に位置しかつ地板基準水平軸線２０６より巻真１１８に近い方の側に位置する第２領域２０２と、地板基準垂直軸線２０５の上記第２領域２０２のある上記他方の側に位置しかつ地板基準水平軸線２０６より巻真１１８から遠い方の側に位置する第３領域２０３と、地板基準垂直軸線２０５の上記第１領域２０１のある上記一方の側に位置しかつ地板基準水平軸線２０６より巻真１１８から遠い方の側に位置する第４領域２０４とが設けられている。図１において、第１領域２０１及び第４領域２０４は地板基準垂直軸線２０５より右側にあるが、これらの第１領域２０１及び第４領域２０４は地板基準垂直軸線２０５より左側にあるように定義してもよい。この場合には、第２領域２０２及び第３領域２０３は、地板基準垂直軸線２０５より右側にあるように定義する。なお、本発明のぜんまい巻き状態表示装置付き時計の実施の形態では、ムーブメントにおける部品の配置は、図示した配置であってもよいし、或いは、地板基準垂直軸線２０５を対称軸として図示した配置と線対称（ミラー・イメージ）の配置であってもよい。
【００１４】
（１・２）ムーブメントの表側の構成
図１、図６及び図９を参照すると、香箱車１２０が一番受１０４及び地板１０２に対して回転可能に支持される。香箱車１２０はぜんまい１２０ｂと、香箱真１２０ｃと、香箱歯車１２０ｄと、香箱ふた１２０ｆとを有する。ぜんまい１２０ｂは機械式時計の動力源を構成する。ぜんまい１２０ｂが巻き戻される（解放される）ことにより、香箱歯車１２０ｄは１つの方向に回転し、表輪列及び裏輪列の回転を介して、指針（時針、分針、秒針など）により時刻情報を表示する。ぜんまい１２０ｂの動力により回転する香箱歯車１２０ｄの回転は、調速装置及び脱進装置によって制御される。調速装置はてんぷ１４２を含む。脱進装置はアンクル１４４及びがんぎ車１４６を含む。てんぷ１４２はてんぷ受１０７及び地板１０２に対して回転可能に支持される。アンクル１４４はアンクル受１０６及び地板１０２に対して回転可能に支持される。がんぎ車１４６は一番受１０４及び地板１０２に対して回転可能に支持される。香箱歯車１２０ｄの回転により、二番車１２２が回転するように構成される。二番車１２２は二番受１０５及び地板１０２に対して回転可能に支持される。二番車１２２の回転により、三番車１２４が回転するように構成される。
【００１５】
三番車１２４は一番受１０４及び地板１０２に対して回転可能に支持される。三番車１２４の回転により、四番車１２６が回転するように構成される。四番車１２６は一番受１０４及び地板１０２に対して回転可能に支持される。三番車１２４の回転により、分車１３６が１時間に１回転するように構成される。三番車１２４の回転により、秒車１２８が１分間に１回転するように構成される。四番車１２６の回転速度は、がんぎ車１４６により制御されるように構成される。がんぎ車１４６の回転速度は、アンクル１４４により制御されるように構成される。アンクル１４４の揺動運動は、てんぷ１４２により制御されるように構成される。表輪列は、二番車１２２、三番車１２４、四番車１２６、秒車１２８を含む。分車１３６に取付けられた分針２４６が「分」を表示し、秒車１２８に取付けられた秒針２４８が「秒」を表示するように構成される。二番車１２２の回転中心と秒車１２８の回転中心とは同じ位置にあるように構成される。角穴車１３０が香箱車１２０の香箱真１２０ｃの角軸部１２０ｈに組み込まれる。角穴止めねじ１３２により、角穴車１３０は香箱真１２０ｃと一体になって回転するように支持される。角穴車１３０は香箱車１２０の回転する方向と同一の方向にのみ回転することができる。角穴車の回転を規正する部材を構成するこはぜ（図示せず）が、角穴車１３０の回転を１つの方向のみに規正するために一番受１０４に設けられる。こはぜにより、角穴車１３０が香箱車１２０の回転する方向と反対の方向に回転するのを阻止する。ぜんまい１２０ｂを巻き上げるための自動巻機構がムーブメント１００の表側に設けられる。手巻機構は、つづみ車２７２と、きち車１３３と、丸穴車１３４とを含む。
【００１６】
自動巻機構は回転錘２１０と、回転錘２１０の回転に基づいて回転する一番仲介車２１２と、一番仲介車２１２の回転に基づいて回転する二番仲介車２１６と、一番仲介車２１２および二番仲介車２１６の回転に基づいて１方向に回転する切換伝え車２２０と、切換伝え車２２０の回転に基づいて回転する一番伝え車２２２と、一番伝え車２２２の回転に基づいて回転する二番伝え車２２４とを備える。回転錘２１０は、輪列受３６２に固定された内輪２１０ａと、複数のボール２１０ｂと、外輪２１０ｃと、外輪２１０ｃと一体に設けられた回転錘かな２１０ｄと、外輪２１０ｃに固定された回転錘体２１０ｅと、回転錘体２１０ｅに固定された回転重錘（図示せず）とを含む。外輪２１０ｃはボール２１０ｂを介して内輪２１０ａに対して回転可能なように構成される。一番仲介車２１２は地板１０２に設けられた一番仲介車ピンに対して回転可能に設けられる。回転錘かな２１０ｄは一番車と噛み合うように構成される。二番仲介車２１６は地板１０２に設けられた二番仲介車ピンに対して回転可能に設けられる。二番仲介車２１６は一番仲介車２１２と噛み合うように構成される。
【００１７】
一番仲介車２１２は切換上段車２２０ｂと噛み合うように構成される。噛み合うように構成される。二番仲介車２１６は切換下段車２２０ｃと噛み合うように構成される。一番伝え車２２２は一番伝え歯車２２２ａと、一番伝えかな２２２ｂとを含む。二番伝え車２２４は二番伝え歯車２２４ａと、二番伝えかな２２４ｂとを含む。一番伝えかな２２２ｂは二番伝え歯車２２４ａと噛み合うように構成される。二番伝えかな２２４ｂは角穴車１３０と噛み合うように構成される。切換伝えかな２２０ｄは一番伝え歯車２２２ａと噛み合うように構成される。回転錘２１０が時計周り方向に回転したときも、回転錘２１０が反時計周り方向に回転したときも、切換伝えかな２２０ｄは一定方向、すなわち、時計周り方向に回転するように構成される。さらに、詳細に説明すると、切換伝え車２２０は、切換伝えかな２２０ｄと、切換上段車２２０ｂと、切換伝えかな２２０ｄに固定された切換上座と、切換伝えかな２２０ｄに固定された切換中座と、切換下段車２２０ｃと、切換伝えかな２２０ｄに固定された切換下座５４６とを含む。切換上段車２２０は、一番仲介車２１２の一番仲介かなと噛み合う切換上歯車体２２０ｊと、ラチェット歯車を有しかつ切換上歯車体２２０ｊに固定された切換上つめ車とを含む。切換上歯車体２２０ｊおよび切換上つめ車は、切換上座のつば部と切換中座との間で、切換上座に対して回転可能なように構成される。
【００１８】
切換下段車２２０ｃは、二番仲介車２１６の二番仲介歯車と噛み合う切換下歯車体２２０ｋと、ラチェット歯車を有しかつ切換下歯車体２２０ｋに固定された切換下つめ車とを含む。切換下歯車体２２０ｋおよび切換下つめ車は、切換下座のつば部と切換中座との間で、切換下座に対して回転可能なように構成される。切換伝え車ピンが切換中座に固定される。上クラッチつめが切換伝え車ピンを回転中心として回転可能なように、切換上歯車体２２０ｊと切換中座との間に配置される。上クラッチつめの上ラチェットつめは、切換上つめ車のラチェット歯車に噛み合うことができるように構成される。下クラッチつめが切換伝え車ピンを回転中心として回転可能なように、切換下歯車体２２０ｋと切換中座との間に配置される。下クラッチつめの下ラチェットつめは、切換下つめ車のラチェット歯車に噛み合うことができるように構成される。
【００１９】
回転錘２１０が時計周り方向に回転したとき、一番仲介車２１２は反時計周り方向に回転する。一番仲介車２１２が反時計周り方向に回転すると、切換上歯車体２２０ｊは時計周り方向に回転する。切換上歯車体２２０ｊが時計周り方向に回転すると、切換上つめ車も時計周り方向に回転する。この状態では、上ラチェットつめは切換上つめ車のラチェット歯車と噛み合い、切換中座が時計周り方向に回転するので、切換伝えかなも時計周り方向に回転する。また、一番仲介車２１２が反時計周り方向に回転すると、二番仲介車２１６は時計周り方向に回転する。二番仲介車２１６が時計周り方向に回転すると、切換下歯車体２２０ｋは反時計周り方向に回転する。切換下歯車体２２０ｋが反時計周り方向に回転すると、切換下つめ車も反時計周り方向に回転する。この状態では、下ラチェットつめは切換下つめ車のラチェット歯車から逃げるように作動するので、切換下歯車体２２０ｋの回転により切換伝えかな２２０ｄを回転させることはできない。回転錘２１０が反時計周り方向に回転したとき、一番仲介車２１２は時計周り方向に回転する。一番仲介車２１２が時計周り方向に回転すると、切換上歯車体２２０ｊは反時計周り方向に回転する。切換上歯車体２２０ｊが反時計周り方向に回転すると、切換上つめ車も反時計周り方向に回転する。この状態では、上ラチェットつめは切換上つめ車のラチェット歯車から逃げるように作動するので、切換上歯車体２２０ｊの回転により切換伝えかな２２０ｄを回転させることはできない。
【００２０】
また、一番仲介車２１２が時計周り方向に回転すると、二番仲介車２１６は反時計周り方向に回転する。二番仲介車２１６が反時計周り方向に回転すると、切換下歯車体２２０ｋは時計周り方向に回転する。切換下歯車体２２０ｋが時計周り方向に回転すると、切換下つめ車も時計周り方向に回転する。この状態では、下ラチェットつめは切換下つめ車のラチェット歯車と噛み合い、切換中座が時計周り方向に回転するので、切換伝えかな２２０ｄも時計周り方向に回転する。したがって、この自動巻機構では、回転錘２１０が時計周り方向に回転したときも、回転錘２１０が反時計周り方向に回転したときも、切換伝えかな２２０ｄは一定方向、すなわち、時計周り方向に回転することができる。
【００２１】
ぜんまい巻き状態表示機構を作動させる遊星機構は、遊星ユニット１５０を含む。遊星ユニット１５０は一番受１０４及び地板１０２に対して回転可能に支持される。遊星ユニット１５０は、香箱歯車１２０ｄと連動され、かつ香箱歯車１２０ｄの回転を減速させるための減速機構１５０を構成する。遊星ユニット１５０は、太陽車１５８と、太陽車１５８の軸部に対して回転可能に取付けられた遊星中間歯車１５２と、遊星中間歯車１５２の偏心部を回転中心として遊星中間歯車１５２に回転可能に取付けられた遊星車１５４と、太陽車１５８の軸部に対して回転可能に取付けられた第二太陽車１６０とを含む。太陽車１５８は太陽歯車１５８ａと、太陽かな１５８ｂとを含む。遊星車１５４は、遊星歯車１５４ａと、遊星かな１５４ｂを含む。第二太陽車１６０は第二太陽歯車１６０ａと、第二太陽かな１６０ｂとを含む。遊星中間歯車１５２は香箱歯車１２０ｄと噛み合うように構成される。太陽歯車１５８ａは遊星かな１５４ｂと噛み合うように構成される。第二太陽歯車１６０ａは二番伝えかなと噛み合うように構成される。第二太陽かな１６０ｂは遊星歯車１５４ａと噛み合うように構成される。第二太陽歯車１６０ａは二番伝え歯車と噛み合うように構成される。太陽車１５８の回転中心は第３領域２０３に配置されるのが好ましい。
【００２２】
（１・３）ムーブメントの裏側の構成
図１及び図９を参照すると、裏輪列は分車１３６と、日の裏車２３０と、筒車２３２とを含む。分車１３６の回転により、日の裏車２３０が回転するように構成される。日の裏車２３０の回転により、筒車２３２が１２時間で１回転するように構成される。筒車２３２に取付けられた時針２４４が「時」を表示する。分車１３６の回転中心と二番車１２２の回転中心とは同じ位置にあるように構成される。筒車２３２の回転中心と二番車１２２の回転中心とは同じ位置にあるように構成される。
更に、カレンダ付き時計の場合には、裏輪列の回転に基づいて日車送り機構が作動するように構成される。日車送り機構は日回し車２５０と、日車２５２とを含む。筒車２３２の回転により、日回し車２５０が回転するように構成される。日回し車２５０に設けられた日送りつめにより、日車２５２を１日に１度、（１／３１）回転させるように構成される。日車２５２は３１日間で１回転するように構成される。日車２５２の回転方向の位置は、日ジャンパ（図示せず）により規正される。日車２５２に取付けられた日針２５４が「日」を表示するように構成される（図１０参照）。日車２５２の回転中心は地板基準水平軸線２０６の上に配置されるのが好ましい。
【００２３】
更に、ウィーク付き時計の場合には、裏輪列の回転に基づいて曜車送り機構が作動するように構成される。曜車送り機構は第一曜回し車２６０と、第二曜回し車２６２と、曜車２６４とを含む。筒車２３２の回転により、第一曜回し車２６０の回転を介して第二曜回し車２６２が回転するように構成される。第二曜回し車２６２に設けられた曜送りつめにより、曜車２６４を１日に１度、（１／７）回転させるように構成される。曜車２６４の回転方向の位置は、曜ジャンパ（図示せず）により規正される。曜車２６４は７日間で１回転するように構成される。曜車２６４に取付けられた曜針２６６が「曜」を表示するように構成される（図１０参照）。曜車２６４の回転中心は第２領域２０２に配置されるのが好ましい。
【００２４】
本発明の時計では、時計の時刻を合わせるために、切換機構と、時刻合わせ機構とが設けられている。切換機構は、おしどり（図示せず）、かんぬき２７０、かんぬき押え（図示せず）などを含むように構成することができる。時刻合わせ機構は、巻真１１８と、つづみ車２７２と、小鉄車２７４とを含む。つづみ車２７２の角穴部は巻真１１８の角軸部に組み込まれる。巻真１１８の中心軸線にそう方向における巻真１１８の位置は、切換装置（おしどり、かんぬき押えなど）により定められる。巻真１１８の中心軸線にそう方向におけるつづみ車２７２の位置は、切換装置（おしどり、かんぬき、かんぬき押えなど）により定められる。小鉄車２７４の回転中心は地板基準垂直軸線２０５の上に配置されるのが好ましい。つづみ車２７２は、ムーブメント１００の中心部に近い方に位置する甲歯２７２ａと、ムーブメント１００の外形部に近い方に位置する乙歯２７２ｂとを備える。つづみ車２７２の乙歯２７２ｂはラチェット歯車で構成される。きち車１３３は、つづみ車２７２の乙歯２７２ｂと噛合うことが出来るように構成されたきち小歯車１３３ｂと、丸穴車１３４の歯車部と噛合うことが出来るように構成されたきち大歯車１３３ｃとを備える。きち小歯車１３３ｂはラチェット歯車で構成される。
【００２５】
巻真１１８を０段目にした状態、および、巻真１１８を１段目にした状態では、つづみ車２７２の甲歯２７２ａは小鉄車２７４の歯車部と噛合わないように構成される。巻真１１８を０段目にした状態、および、巻真１１８を１段目にした状態では、つづみ車２７２の乙歯２７２ｂはきち車１３３の小歯車１３３ｂと噛合うように構成される。巻真１１８を２段目にした状態では、つづみ車２７２の甲歯２７２ａは小鉄車２７４の歯車部と噛合うように構成される。巻真１１８を２段目にした状態では、つづみ車２７２の乙歯２７２ｂはきち車１３３の小歯車１３３ｂと噛合わないように構成される。巻真１１８を０段目にした状態で、巻真１１８を１つの方向に回転させると、巻真１１８とともにつづみ車２７２が回転し、きち車１３３および丸穴車１３４の回転を介して、角穴車１３０が回転して、ぜんまい１２０ｂを巻き上げることができるように構成される。巻真１１８を０段目にした状態で、巻真１１８を他の方向に回転させると、巻真１１８とともにつづみ車２７２が回転するが、きち車１３３は回転しないように構成される。
【００２６】
さらに、本発明の時計には、日針２５４による日の表示を修正するための日修正機構と、曜針２６６による曜の表示を修正するための曜修正機構（図示せず）とを設けることができる。日修正機構は、つづみ車２７２と、きち車１３３と、丸穴車１３４と、修正車（図示せず）とにより構成される。巻真１１８を１段目にした状態で、巻真１１８を１つの方向に回転させると、つづみ車２７２が回転し、きち車１３３および丸穴車１３４の回転を介して、修正車が１つの方向に揺動して第１の位置で止まり、その第１の位置で修正車が回転して日車２５２を回転させることができるように構成される。巻真１１８を１段目にした状態で、巻真１１８を他の方向に回転させると、つづみ車２７２が回転し、きち車１３３および丸穴車１３４の回転を介して、修正車が他の方向に揺動して第２の位置で止まり、その第２の位置で修正車が回転して曜車２６４を回転させることができるように構成される。
【００２７】
図１及び図６を参照すると、巻印中間車１８２が第二地板１１２及び第二輪列受１１４に対して回転可能に支持される。巻印中間車１８２は巻印中間歯車１８２ａと、巻印中間かな１８２ｂとを有する。巻印中間車１８２の回転中心は第３領域２０３に配置されるのが好ましい。巻印車１９０が、第二地板１１２及び第二輪列受１１４に対して回転可能に支持される。巻印車１９０は、巻印歯車１９０ａを含む。巻印中間歯車１８２ａは太陽かな１５８ｂと噛み合うように構成される。巻印歯車は巻印中間かなと噛み合うように構成される。巻印車１９０の回転中心は第３領域２０３に配置されるのが好ましい。図１を参照すると、巻印車１９０の回転中心は記号「Ａ」で示されている。ムーブメント１００において、位置「Ａ」を回転中心としてぜんまい巻き状態を表示したい場合、ぜんまい巻き状態表示部材を構成する巻印針１９６が、巻印車１９０の巻印車真に取付けられる。この構成では、図１０を参照すると、ぜんまい巻き状態を表す表示記号１１０ａが文字板１１０に設けられる。例えば、表示記号１１０ａは、「０」、「２０」、「４０」、「６０」の数字を含む。ユーザは、巻印針１９６の先端の位置と、表示記号１１０ａとにより、ぜんまいの巻き状態を知ることができる。
【００２８】
ムーブメント１００において、位置「Ａ」と異なる位置を回転中心としてぜんまい巻き状態を表示したい場合、巻印表示車２７０が第二地板１１２及び第二輪列受１１４に対して回転可能に支持される。巻印表示車２７０の回転中心は第１領域２０１に配置されるのが好ましい。図１を参照すると、巻印表示車２７０の回転中心は記号「Ｂ１」で示されている。ムーブメント１００において、位置「Ｂ１」は、位置「Ａ」と異なる個所にある。例えば、位置「Ｂ１」と位置「Ａ」とは、巻印車１９０の外径寸法より離れるように構成することができる。図１、図６、図８を参照すると、巻印伝えレバー２８０が、巻印車１９０および巻印表示車２７０に対して作動可能なように設けられる。巻印車１９０の歯車体の中心から偏心した位置に巻印車ピン１９０ｄが設けられる。巻印表示車２７０の歯車体の中心から偏心した位置に巻印表示車ピン２７０ｄが設けられる。巻印車連動穴と、巻印表示車連動穴が巻印伝えレバー２８０に設けられる。巻印車ピン１９０ｄの一部が、巻印伝えレバー２８０の巻印車連動穴に回転可能なように組み込まれる。巻印表示車ピン２７０ｄの一部が、巻印伝えレバー２８０の巻印表示車連動穴に回転可能なように組み込まれる。すなわち、本発明の構成では、巻印車１９０の円盤部（歯車体）と、巻印表示車２７０の円盤部（歯車体）は、巻印伝えレバー２８０という剛体部材で連結されている。この構成では、巻印車１９０が回転すると、巻印伝えレバー２８０が移動して、巻印表示車２７０が回転することができる。したがって、第二地板１１２（第二輪列受１１４）、巻印車１９０、巻印表示車２７０、巻印伝えレバー２８０は、四節回転連鎖機構を構成する。この構成では、巻印伝えレバー２８０は、四節回転連鎖機構における１つのリンクを構成する。この構成では、第二地板１１２（および、第二輪列受１１４）、巻印車１９０の歯車体、巻印表示車２７０の歯車体は、それぞれ、四節回転連鎖機構における他のリンクを構成する。この構成では、第二地板１１２（および、第二輪列受１１４）は、四節回転連鎖機構における固定リンクを構成する。
【００２９】
図１を参照すると、巻印伝えレバー２８０の一部が、日回し車２５０の一部と重なるように構成される。また、巻印伝えレバー２８０の一部が、筒車２３２の回転中心と、日回し車２５０の回転中心との間に位置するように構成される。また、巻印伝えレバー２８０の一部が、筒車２３２の回転中心と、日車２５２の回転中心との間に位置するように構成される。この構成により、巻印針１９６の回転中心（すなわち、パワーリザーブ指針の回転中心）は、香箱歯車１２０ｄの回転中心の位置と関連することなしに、時計のムーブメント１００内で任意適当な位置に配置することができる。また、この構成により、巻印針１９６に回転を伝達する歯車間の噛合いのバックラッシュの影響を削減することができ、巻印針１９６の作動が遅れるのを効果的に防止することができる。
【００３０】
ムーブメント１００において、位置「Ｂ１」を回転中心としてぜんまい巻き状態を表示したい場合、ぜんまい巻き状態表示部材を構成する巻印針１９６を巻印表示車２７０の車真に取付ける。この構成では、巻印車１９０の巻印針の取付部を削除し、巻印車１９０に巻印針１９６を取付けない。この構成では、図１１を参照すると、ぜんまい巻き状態を表す表示記号１１０ａが文字板１１０に設けられる。例えば、表示記号１１０ａは、「０」、「２０」、「４０」、「６０」の数字を含む。ユーザは、巻印針１９６の先端の位置と、表示記号１１０ａとにより、ぜんまいの巻き状態を知ることができる。以上説明したように、本発明では、ムーブメント１００において、巻印伝えレバー２８０および巻印表示車２７０を設け、巻印表示車２７０に巻印針１９６を取付けることにより、位置「Ｂ１」を回転中心としてぜんまい巻き状態を表示することができ、巻印伝えレバー２８０および巻印表示車２７０を設けることなしに、巻印車１９０に巻印針１９６を取付けることにより、位置「Ａ」を回転中心としてぜんまい巻き状態を表示することができる。したがって、本発明により、１つのムーブメントを用いて、複数の位置を回転中心としてぜんまい巻き状態を表示することができるので、複数のデザインの時計を容易に実現することができる。
【００３１】
変形例として、図１を参照すると、ムーブメント１００において、位置「Ｂ２」を回転中心としてぜんまい巻き状態を表示したい場合、巻印表示車２７０の回転により回転する第二巻印表示車２７２を設けることができる。この構成では、ぜんまい巻き状態表示部材を構成する巻印針１９６は、第二巻印表示車２７２の車真に取付けられる。この構成では、巻印車１９０の巻印針取付部を削除し、巻印車１９０に巻印針１９６を取付けず、第二巻印表示車２７２の巻印針取付部を削除し、第二巻印表示車２７２に巻印針１９６を取付けない。
【００３２】
さらなる変形例として、図１を参照すると、ムーブメント１００において、位置「Ｂ５」を回転中心としてぜんまい巻き状態を表示したい場合、巻印表示車２７０の回転により回転する第三巻印表示車２７４を設けることができる。この構成では、ぜんまい巻き状態表示部材を構成する巻印針１９６が、第三巻印表示車２７４の車真に取付けられる。この構成では、巻印車１９０の巻印針取付部を削除し、巻印車１９０に巻印針１９６を取付けず、第二巻印表示車２７２の巻印針取付部を削除し、第二巻印表示車２７２に巻印針１９６を取付けない。上記のいずれの変形例の構成においても、巻印針１９６の回転中心（すなわち、パワーリザーブ指針の回転中心）は、香箱歯車１２０ｄの回転中心の位置と関連することなしに、時計のムーブメント１００内で任意適当な位置に配置することができる。したがって、上記の変形例の構成よって、巻印針１９６に回転を伝達する歯車間の噛合いのバックラッシュの影響を削減することができ、巻印針１９６の作動が遅れるのを効果的に防止することができる。
【００３３】
（１・４）ぜんまいの巻き上げの作用
図１、図５、図６、図１０を参照すると、ぜんまい１２０ｂが完全に巻き戻された状態において、自動巻き輪列の回転により、角穴車１３０が反時計周り方向に回転する。この状態では、遊星中間歯車１５２の回転は香箱歯車１２０ｄにより規正されているので、遊星中間歯車１５２は、遊星歯車機構の中の「固定歯車」を構成する。この状態では、二番伝え車２２４の回転により遊星ユニット１５０の太陽かな１５８ｂが回転する。太陽かな１５８ｂの回転により巻印中間車１８２が回転する。巻印中間車１８２の回転により、巻印車１９０は反時計周り方向に回転する。従って、ぜんまい１２０ｂを巻き上げるにつれて、巻印針１９６が反時計周り方向に回転して、表示記号１１０ａのうちの「０」を指示している状態から、表示記号１１０ａのうちの「２０」を指示する状態を経て、さらに、図２、図１０を参照すると、「４０」を指示する状態を経て、表示記号１１０ａのうちの「６０」を指示する状態になる。図２、図１０に示す状態は、ぜんまいの「フル巻き」状態である。手巻き時計の場合には、ぜんまいの「フル巻き」状態以上にぜんまいを巻き上げることはできない。一方、自動巻き時計の場合には、ぜんまいの「フル巻き」状態以上にぜんまいを巻き上げようとすると、香箱車１２０内に設けられたスリッピングアタッチメント（図示せず）の部分でスリップする。スリッピングアタッチメントがスリップする状態において、巻印車１９０が巻印車度決めピン（図示せず）に当たることにより、巻印針１９６が更に反時計周り方向に回転するのを阻止することができる。
【００３４】
（１・５）通常運針のとき（ぜんまいの巻き戻しのとき）の作用
図１、図５、図７、図１０を参照すると、ぜんまいが巻き上げられた状態において、香箱歯車１２０ｄが回転して時刻を表示する。この状態では、香箱歯車１２０ｄは、反時計周り方向に回転する。この状態では、角穴車１３０の歯に係合するこはぜ（図示せず）の作用により、角穴車１３０の回転は規正される。したがって、第２太陽車１６０は遊星歯車機構の中の「固定歯車」を構成する。香箱歯車１２０ｄの回転により、遊星中間歯車１７０は時計周り方向に回転する。第２太陽車１６０の回転が規正されるので、遊星車１５４の回転は、回転中心が変動する「遊星運動」を行う。遊星車１５４の遊星運動により、遊星ユニット１５０の太陽かな１５８ｂが回転する。太陽かな１５８ｂの回転により巻印中間車１８２が回転する。巻印中間車１８２の回転により、巻印車１９０は時計周り方向に回転する。従って、香箱車１２０が回転してぜんまい１２０ｂが巻き戻される（解除される）につれて、巻印針１９６が通常の輪列の回転速度より遅い速度で、時計周り方向に回転する。従って、表示記号１１０ａのうちの「６０」を指示している状態（図２、図１０参照）から、表示記号１１０ａのうちの「４０」を指示する状態を経て、表示記号１１０ａのうちの「４０」と「２０」の間を指示する状態になる（図３参照）。図３に示す状態は、ぜんまいの「半巻き」状態である。
【００３５】
図４、図７を参照すると、更にぜんまいが巻き戻されるにつれて、巻印針１９６が時計周り方向に更に回転して、表示記号１１０ａのうちの「２０」を指示している状態を経て、表示記号１１０ａのうちの「０」を指示する状態になる。図４および図７に示す状態は、ぜんまいの「巻き解け」状態である。図１０に示す表示記号１１０ａは、時計の作動可能な持続時間を示している。例えば、巻印針１９６が「２０」を指示しているときは、持続時間が２０時間であることを示し、巻印針１９６が「４０」を指示しているときは、持続時間が４０時間であることを示し、巻印針１９６が「６０」を指示しているときは、持続時間が６０時間であることを示す。表示記号１１０ａは、「１」でぜんまいの「フル巻き」状態を示し、「１／２」でぜんまいの「半巻き」状態を示し、「０」でぜんまいの「巻き解け」状態を示すように構成してもよい。また、表示記号１１０ａは、「１００％」でぜんまいの「フル巻き」状態を示し、「５０％」でぜんまいの「半巻き」状態を示し、「０％」でぜんまいの「巻き解け」状態を示すように構成してもよい。或いは、表示記号１１０ａは、「黒丸の記号」でぜんまいの「フル巻き」状態を示し、「半丸の記号」でぜんまいの「半巻き」状態を示し、「白丸の記号」でぜんまいの「巻き解け」状態を示すように構成してもよい。
【００３６】
（１・６）コンプリートの説明
図１０を参照すると、本発明のぜんまい巻き状態表示装置付き時計のコンプリートは、時計ケース２９０を含む。時計ケース２９０の中にぜんまい巻き状態表示装置付き時計のムーブメント１００が収容されている。時針２４４により、現在時刻のうちの「時」を表示する。分針２４６により、現在時刻のうちの「分」を表示する。秒針２４８により、現在時刻のうちの「秒」を表示する。日針２５４により、現在の「日」を表示する。曜針２６６により、現在の「曜日」を表示する。文字板１１０に設けられた表示記号１１０ａは、ぜんまい巻き状態表示装置付き時計の作動可能な持続時間を示している。図１０では、巻印針１９６が表示記号１１０ａのうちの「６０」を指示している。この状態は、ぜんまいの「フル巻き」状態であり、持続時間が６０時間であることを示す。ぜんまいの「フル巻き」状態から巻印針１９６が回転する角度が、時計の持続時間に対応するように構成されている。次に、図１１を参照すると、本発明のぜんまい巻き状態表示装置付き時計の変形例のコンプリートでは、巻印針１９６が表示記号１１０ａのうちの「４０」を指示している。この状態は、ぜんまいが２０時間分巻きもどされ、持続時間が４０時間であることを示す。以上説明したように、本発明のぜんまい巻き状態表示装置付き時計では、時計の持続時間を非常にわかりやすく表示することができる。
【００３７】
（２）第２の実施の形態
次に、本発明のぜんまい巻き状態表示装置付き時計の第２の実施の形態を説明する。以下の説明は、本発明のぜんまい巻き状態表示装置付き時計の第２の実施形態が本発明のぜんまい巻き状態表示装置付き時計の第１の実施形態と異なる点を主に述べる。したがって、以下に記載がない個所は、前述した本発明のぜんまい巻き状態表示装置付き時計の第１の実施形態についての説明をここに準用する。図１２を参照すると、本発明のぜんまい巻き状態表示装置付き時計の第２の実施形態では、ムーブメント３００において、位置「Ｂ３」を回転中心としてぜんまい巻き状態を表示したい場合、巻印表示車３７０が第二地板３１２及び第二輪列受３１４に対して回転可能に支持される。巻印表示車３７０の回転中心は第４領域２０４に配置される。図１を参照すると、巻印表示車３７０の回転中心は記号「Ｂ３」で示されている。ムーブメント３００において、位置「Ｂ３」は、位置「Ａ」と異なる個所にある。例えば、位置「Ｂ３」と位置「Ａ」とは、巻印車３９０の外径寸法より離れるように構成することができる。
【００３８】
図１２を参照すると、巻印伝えレバー３８０が、巻印車３９０および巻印表示車３７０に対して作動可能なように設けられる。巻印車３９０の歯車体の中心から偏心した位置に巻印車ピン３９０ｄが設けられる。巻印表示車３７０の歯車体の中心から偏心した位置に巻印表示車ピン３７０ｄが設けられる。巻印車連動穴と、巻印表示車連動穴が巻印伝えレバー３８０に設けられる。巻印車ピン３９０ｄの一部が、巻印伝えレバー３８０の巻印車連動穴に回転可能なように組み込まれる。巻印表示車ピン３７０ｄの一部が、巻印伝えレバー３８０の巻印表示車連動穴に回転可能なように組み込まれる。巻印車３９０が回転すると、巻印伝えレバー３８０が移動して、巻印表示車３７０が回転することができるように構成される。したがって、巻印車３９０、巻印表示車３７０、巻印伝えレバー３８０は、四節回転連鎖機構を構成する。この構成では、巻印伝えレバー３８０は、四節回転連鎖機構における１つのリンクを構成する。この構成では、第二地板３１２（第二輪列受３１４）、巻印車３９０の歯車体、巻印表示車３７０の歯車体は、それぞれ、四節回転連鎖機構における他のリンクを構成する。この構成では、第二地板３１２（第二輪列受３１４）は、四節回転連鎖機構における固定リンクを構成する。この構成では、巻印車３９０の巻印針取付部を削除し、巻印車３９０に巻印針１９６を取付けない。
【００３９】
図１２を参照すると、巻印伝えレバー３８０の一部が、日回し車２５０の一部と重ならないように構成される。また、巻印伝えレバー３８０は、筒車２３２の回転中心と、日回し車２５０の回転中心との間に位置しないように構成される。また、巻印伝えレバー３８０の一部が、筒車２３２の回転中心と、日車２５２の回転中心との間に位置しないように構成される。この構成により、巻印針１９６の回転中心（すなわち、パワーリザーブ指針の回転中心）は、香箱歯車１２０ｄの回転中心の位置と関連することなしに、時計のムーブメント３００内で任意適当な位置に配置することができる。また、この構成により、巻印針１９６に回転を伝達する歯車間の噛合いのバックラッシュの影響を削減することができ、巻印針１９６の作動が遅れるのを効果的に防止することができる。図１を参照すると、本発明のぜんまい巻き状態表示装置付き時計では、例えば巻印表示車３７０を回転可能なように支持する複数の巻印表示車支持部を、第二地板３１２及び第二輪列受３１４において、位置「Ｂ１」〜位置「Ｂ５」のうちの少なくとも１箇所に設け、好ましくは、位置「Ｂ１」〜位置「Ｂ５」のうちの２箇所以上に設けることができる。伝え部材、すなわち、巻印伝えレバー３８０は、巻印車３９０の回転を、複数の巻印表示車支持部のうちの１箇所に支持された巻印表示車３７０に伝達させるように構成される。この構成により、ぜんまい巻き状態表示装置付き時計において、香箱歯車の回転中心の位置にかかわらず、巻印針の回転中心を時計のムーブメント内で任意適当な位置に配置できる。そして、複数の巻印表示車支持部がムーブメントに設けられているので、巻印針の回転中心の位置を変えるために複数のムーブメントを用意する必要がない。
【００４０】
（３）第３の実施の形態
次に、本発明のぜんまい巻き状態表示装置付き時計の第３の実施の形態を説明する。以下の説明は、本発明のぜんまい巻き状態表示装置付き時計の第３の実施形態が本発明のぜんまい巻き状態表示装置付き時計の第１の実施形態と異なる点を主に述べる。したがって、以下に記載がない個所は、前述した本発明のぜんまい巻き状態表示装置付き時計の第１の実施形態についての説明をここに準用する。図１３および図１４を参照すると、本発明のぜんまい巻き状態表示装置付き時計の第３の実施の形態では、巻印車４９０の回転中心と、遊星ユニット４５０に含まれる太陽車の回転中心とが同じ位置になるように構成される。ムーブメント４００において、巻印車４９０の回転中心であるところの位置「Ａ２」と異なる位置を回転中心としてぜんまい巻き状態を表示したい場合、巻印表示車４７０が第二地板４１２及び第二輪列受４１４に対して回転可能に支持される。巻印表示車４７０の回転中心は第１領域２０１に配置されるのが好ましい。
【００４１】
図１３を参照すると、巻印表示車４７０の回転中心は記号「Ｂ１」で示されている。ムーブメント４００において、位置「Ｂ１」は、位置「Ａ２」と異なる個所にある。例えば、位置「Ｂ１」と位置「Ａ２」とは、巻印車１９０の外径寸法より離れるように構成することができる。図１３、図１４を参照すると、巻印伝えレバー４８０が、巻印車４９０および巻印表示車４７０に対して作動可能なように設けられる。巻印車４９０の歯車体の中心から偏心した位置に巻印車ピン４９０ｄが設けられる。巻印表示車４７０の歯車体の中心から偏心した位置に巻印表示車ピン４７０ｄが設けられる。巻印車連動穴と、巻印表示車連動穴が巻印伝えレバー４８０に設けられる。巻印車ピン４９０ｄの一部が、巻印伝えレバー４８０の巻印車連動穴に回転可能なように組み込まれる。巻印表示車ピン４７０ｄの一部が、巻印伝えレバー４８０の巻印表示車連動穴に回転可能なように組み込まれる。巻印車４９０が回転すると、巻印伝えレバー４８０が移動して、巻印表示車４７０が回転することができるように構成される。したがって、巻印車４９０、巻印表示車４７０、巻印伝えレバー４８０は、四節回転連鎖機構を構成する。この構成では、巻印伝えレバー４８０は、四節回転連鎖機構における１つのリンクを構成する。この構成では、第二地板４１２（および、第二輪列受４１４）、巻印車４９０の歯車体、巻印表示車４７０の歯車体は、それぞれ、四節回転連鎖機構における他のリンクを構成する。この構成では、第二地板４１２（および、第二輪列受４１４）は、四節回転連鎖機構における固定リンクを構成する。
【００４２】
図１３を参照すると、巻印伝えレバー４８０の一部が、日回し車２５０の一部と重なるように構成される。また、巻印伝えレバー４８０の一部が、筒車２３２の回転中心と、日回し車２５０の回転中心との間に位置するように構成される。また、巻印伝えレバー４８０の一部が、筒車２３２の回転中心と、日車２５２の回転中心との間に位置するように構成される。この構成により、巻印針１９６の回転中心（すなわち、パワーリザーブ指針の回転中心）は、香箱歯車１２０ｄの回転中心の位置と関連することなしに、時計のムーブメント４００内で任意適当な位置に配置することができる。また、この構成により、巻印針１９６に回転を伝達する歯車間の噛合いのバックラッシュの影響を削減することができ、巻印針１９６の作動が遅れるのを効果的に防止することができる。
【００４３】
（４）第４の実施の形態
次に、本発明のぜんまい巻き状態表示装置付き時計の第４の実施の形態を説明する。以下の説明は、本発明のぜんまい巻き状態表示装置付き時計の第４の実施形態が本発明のぜんまい巻き状態表示装置付き時計の第１の実施形態と異なる点を主に述べる。したがって、以下に記載がない個所は、前述した本発明のぜんまい巻き状態表示装置付き時計の第１の実施形態についての説明をここに準用する。図１５を参照すると、本発明のぜんまい巻き状態表示装置付き時計の第４の実施の形態では、巻印車４９０の回転中心と、遊星ユニット４５０に含まれる太陽車の回転中心とが同じ位置になるように構成される。ムーブメント５００において、巻印車５９０の回転中心であるところの位置「Ａ２」と異なる位置を回転中心としてぜんまい巻き状態を表示したい場合、第１巻印伝え車５９１（回転中心は「Ｃ１」）と、第２巻印伝え車５９２（回転中心は「Ｃ２」）と、第３巻印伝え車５９３（回転中心は「Ｃ３」）と、第４巻印伝え車５９４（回転中心は「Ｃ４」）と、第５巻印伝え車５９５（回転中心は「Ｃ５」）と、巻印表示車５７０（回転中心は「Ｃ６」）とが第二地板５１２及び第二輪列受５１４に対して回転可能に支持される。巻印表示車５７０の回転中心は第１領域２０１に配置されるのが好ましい。例えば、位置「Ｃ６」と位置「Ａ２」とは、巻印車５９０の外径寸法より離れるように構成することができる。巻印車５９０が回転することにより、第１巻印伝え車５９１と第２巻印伝え車５９２と第３巻印伝え車５９３と第４巻印伝え車５９４と第５巻印伝え車５９５の回転を介して、巻印表示車５７０が回転するように構成される。
【００４４】
この構成では、日回し車および日車を設けていない。巻印車５９０および巻印表示車５７０を含む輪列のバックラッシュの影響を削減するために、巻印ばね５８８が巻印表示車５７０に対して設けられる。巻印ばね５８８は、例えば、うず巻きばねで構成するのがよい。巻印ばね５８８の回転方向のばね力により、巻印車５９０から巻印表示車５７０までの輪列のバックラッシュがなくなるように構成される。この構成により、巻印針１９６の回転中心（すなわち、パワーリザーブ指針の回転中心）は、香箱歯車１２０ｄの回転中心の位置と関連することなしに、時計のムーブメント５００内で任意適当な位置に配置することができる。また、この構成により、巻印針１９６に回転を伝達する歯車間の噛合いのバックラッシュの影響を削減することができ、巻印針１９６の作動が遅れるのを効果的に防止することができる。変形例として、巻印表示車５７０の回転中心は、位置「Ｃ１」から位置「Ｃ５」のいずれかに位置するように構成することができる。もし、必要ならば、巻印表示車５７０の回転中心を、位置「Ｃ１」から位置「Ｃ３」のいずれかに配置した場合、日回し車および日車を設けることができる。
【００４５】
（５）第５の実施の形態
次に、本発明のぜんまい巻き状態表示装置付き時計の第５の実施の形態を説明する。以下の説明は、本発明のぜんまい巻き状態表示装置付き時計の第５の実施形態が本発明のぜんまい巻き状態表示装置付き時計の第１の実施形態と異なる点を主に述べる。したがって、以下に記載がない個所は、前述した本発明のぜんまい巻き状態表示装置付き時計の第１の実施形態についての説明をここに準用する。図１６を参照すると、本発明のぜんまい巻き状態表示装置付き時計の第５の実施の形態では、巻印車４９０の回転中心と、遊星ユニット４５０に含まれる太陽車の回転中心とが同じ位置になるように構成される。ムーブメント６００において、巻印車５９０の回転中心であるところの位置「Ａ２」と異なる位置を回転中心としてぜんまい巻き状態を表示したい場合、第１巻印伝え車６９１（回転中心は「Ｃ１」）と、第２巻印伝え車６９２（回転中心は「Ｃ２」）と、第３巻印伝え車６９３（回転中心は「Ｃ３」）と、巻印表示車６７０（回転中心は「Ｃ４」）とが第二地板６１２及び第二輪列受６１４に対して回転可能に支持される。巻印表示車６７０の回転中心は第４領域２０４に配置されるのが好ましい。例えば、位置「Ｃ４」と位置「Ａ２」とは、巻印車５９０の外径寸法より離れるように構成することができる。巻印車５９０が回転することにより、第１巻印伝え車６９１と第２巻印伝え車６９２と第３巻印伝え車６９３の回転を介して、巻印表示車６７０が回転するように構成される。
【００４６】
この構成では、日回し車および日車を設けていない。巻印車５９０および巻印表示車６７０を含む輪列のバックラッシュの影響を削減するために、巻印ばね６８８が巻印表示車６７０に対して設けられる。巻印ばね６８８は、例えば、うず巻きばねで構成するのがよい。巻印ばね６８８の回転方向のばね力により、巻印車５９０から巻印表示車６７０までの輪列のバックラッシュがなくなるように構成される。この構成により、巻印針１９６の回転中心（すなわち、パワーリザーブ指針の回転中心）は、香箱歯車１２０ｄの回転中心の位置と関連することなしに、時計のムーブメント６００内で任意適当な位置に配置することができる。また、この構成により、巻印針１９６に回転を伝達する歯車間の噛合いのバックラッシュの影響を削減することができ、巻印針１９６の作動が遅れるのを効果的に防止することができる。
【実施例】
【００４７】
本発明のぜんまい巻き状態表示装置付き時計の第１の実施の形態は、一例として、下記の条件で構成することができる。
香箱歯車１２０ｄの歯数：８４
角穴車１３０の歯数：６２
太陽歯車１５８ａの歯数：４１
太陽かな１５８ｂの歯数：８
第２太陽歯車１６０ａの歯数：２０
第２太陽かな１６０ｂの歯数：２０
遊星中間歯車１５２の歯数：２４
遊星歯車１５４ａの歯数：８
遊星かな１５４ｂの歯数：１６
巻印中間歯車１８２ａの歯数：７２
巻印中間かな１８２ｂの歯数：９
巻印歯車１９０ａの歯数：６３
この構成では、香箱歯車１２０ｄから巻印車１９０までの減速比は、約１／２４である。
【００４８】
なお、本発明のぜんまい巻き状態表示装置付き時計では、上記の歯車の歯数を変えることにより、ぜんまい巻き状態の表示の内容を変えることができる。そして、上記の減速比を変えることにより、香箱歯車１２０ｄの回転に基づく巻印針１９６の回転する角度を変えることができる。例えば、香箱歯車１２０ｄから巻印車１９０までの減速比を  ／  にする構成では、本発明の上述した実施の形態で用いたものと同じぜんまいを用いた場合に、ぜんまいの巻き解け状態から全巻き状態までに対応する巻印車１９０の回転角度を約９０度にすることができる。
【産業上の利用可能性】
【００４９】
本発明は、機械式時計の動力源を構成するぜんまいの巻き状態を表示する機能を備えたぜんまい巻き状態表示装置付き時計において、時計のムーブメント内で任意適当な位置にぜんまい巻き状態表示部材（パワーリザーブ指針）を配置する構成に適用することができる。すなわち、本発明により、ぜんまい巻き状態表示装置付き時計において、香箱歯車の回転中心の位置にかかわらず、巻印針の回転中心を時計のムーブメント内で任意適当な位置に配置することができ、複数の巻印表示車支持部がムーブメントに設けられているので、巻印針の回転中心の位置を変えるために複数のムーブメントを用意する必要がない。したがって、本発明のぜんまい巻き状態表示装置付き時計は、デザイン上の制約が非常に小さい。
【図面の簡単な説明】
【００５０】
【図１】本発明のぜんまい巻き状態表示装置付き時計の第１の実施の形態において、ムーブメントを文字板側からみた状態を示す平面図である。
【図２】本発明のぜんまい巻き状態表示装置付き時計の第１の実施の形態において、ぜんまいが完全に巻き上げられた状態におけるムーブメントを文字板側からみた状態を示す平面図（すなわち、裏平面図）である。
【図３】本発明のぜんまい巻き状態表示装置付き時計の第１の実施の形態において、ぜんまいが途中まで巻き戻された状態におけるムーブメントを文字板側からみた状態を示す平面図（すなわち、裏平面図）である。
【図４】本発明のぜんまい巻き状態表示装置付き時計の第１の実施の形態において、ぜんまいが完全に巻き戻された状態におけるムーブメントを文字板側からみた状態を示す平面図（すなわち、裏平面図）である。
【図５】本発明のぜんまい巻き状態表示装置付き時計の第１の実施の形態において、ムーブメントを裏蓋側からみた状態を示す平面図（表平面図）である。
【図６】本発明のぜんまい巻き状態表示装置付き時計の第１の実施の形態において、ぜんまい巻き上げ状態におけるムーブメントの一部分を示す部分断面図である。
【図７】本発明のぜんまい巻き状態表示装置付き時計の第１の実施の形態において、ぜんまいが途中まで巻き戻された状態におけるムーブメントの一部分を示す部分断面図である。
【図８】本発明のぜんまい巻き状態表示装置付き時計の第１の実施の形態において、リンク機構の部分断面図である。
【図９】本発明のぜんまい巻き状態表示装置付き時計の第１の実施の形態において、カレンダ機構を示す部分断面図である。
【図１０】本発明のぜんまい巻き状態表示装置付き時計の第１の実施の形態において、ぜんまいが完全に巻き上げられた状態におけるコンプリートの外観を示す平面図である。
【図１１】本発明のぜんまい巻き状態表示装置付き時計の第１の実施の形態の他の構成において、ぜんまいが途中まで巻き戻された状態におけるコンプリートの外観を示す平面図である。
【図１２】本発明のぜんまい巻き状態表示装置付き時計の第２の実施の形態において、ぜんまいが完全に巻き上げられた状態におけるムーブメントを文字板側からみた平面図（すなわち、裏平面図）である。
【図１３】本発明のぜんまい巻き状態表示装置付き時計の第３の実施の形態において、ぜんまいが完全に巻き上げられた状態におけるムーブメントを文字板側からみた平面図（すなわち、裏平面図）である。
【図１４】本発明のぜんまい巻き状態表示装置付き時計の第３の実施の形態において、ぜんまいが完全に巻き上げられた状態におけるムーブメントの一部分を示す部分断面図である。
【図１５】本発明のぜんまい巻き状態表示装置付き時計の第４の実施の形態において、ぜんまいが完全に巻き上げられた状態におけるムーブメントを文字板側からみた平面図（すなわち、裏平面図）である。
【図１６】本発明のぜんまい巻き状態表示装置付き時計の第５の実施の形態において、ぜんまいが完全に巻き上げられた状態におけるムーブメントを文字板側からみた平面図（すなわち、裏平面図）である。
【符号の説明】
【００５１】
１００  時計のムーブメント
１０２  地板
１１２  第二地板
１１４  第二輪列受
１１８  巻真
１２０  香箱車
１２２  二番車
１２４  三番車
１２６  四番車
１２８  秒車
１３０  角穴車
１３６  分車
１５０  遊星ユニット
１８２  巻印中間車
１８４  巻印中間歯車
１９０  巻印車
１９６  巻印針
２１０  回転錘
２３２  筒車
２７０  巻印表示車
２８０  巻印伝えレバー
【図１】
2005214656.tif 000003
【図２】
2005214656.tif 000004
【図３】
2005214656.tif 000005
【図４】
2005214656.tif 000006
【図５】
2005214656.tif 000007
【図６】
2005214656.tif 000008
【図７】
2005214656.tif 000009
【図８】
2005214656.tif 000010
【図９】
2005214656.tif 000011
【図１０】
2005214656.tif 000012
【図１１】
2005214656.tif 000013
【図１２】
2005214656.tif 000014
【図１３】
2005214656.tif 000015
【図１４】
2005214656.tif 000016
【図１５】
2005214656.tif 000017
【図１６】
2005214656.tif 000018